(57)【要約】      （修正有）【課題】自由位置でのアングル鋼材の直交締結が簡便にでき、現場計測時間、設計工数、据付作業時間の大幅な削減が期待でき、又この金具の部品調整により、簡単に斜め締結も可能となる。更に、この金具により、現場での溶接作業やボルト止め作業を省略でき、安全性と作業性の向上が得られる。【解決手段】アングル鋼材４の直交並びに斜め締結を、締結金具Ｐ１と締結金具Ｐ２の組合せによって行う。締結金具Ｐ１の金具１をアングル鋼材４の外面にセットし、テーパーブロック５を装着した金具３にリングボルト６を介して締付締結する。以下締結金具Ｐ２も直交締結又は、斜め締結をする他のアングル鋼材４も同様に締結する。【選択図】図３
2017020642.tif 000002
【特許請求の範囲】
【請求項１】
各アングル鋼材の直交及び傾斜締結における金具であって、アングル鋼材外面と、内面をテーパーブロック装着金具による締結を特徴とするアングル鋼材締結金具。
【請求項２】
請求項１に記載の鋼材アングル締結金具において
上記締結金具の組合せによる締結において、直交可組合せと、斜め組合せ能となる特徴を有するアングル鋼材締結金具。
【請求項３】
請求項２に記載の鋼材アングル締結金具において
上記直交組合せと、斜め組合せを選択する為の位置決め金具を有する特徴を有するアングル鋼材締結金具。
【発明の詳細な説明】
【技術分野】
【０００１】本考案は、アングル鋼材の直交締結並びに斜め締結法に関する技術
【背景技術】
【０００２】現在建築関係では、建築現場の足場パイプの直交締結金具として、パイプクランプ金具が使用されている。このクランプ金具は、足場パイプ組立のみに使用されているのが現状である。【０００３】建築関係に限らず、パイプ以外の直交締結法においては、現状では溶接、ないしボルト止めによる締結が主流である．
【発明の概要】
【発明が解決しようとする課題】
【０００４】建築現場における建物周辺の足場パイプの組立においてパイプクランプ金具等が、広く使用されている。しかしパイプクランプによって組み立てられた構造物は、軽荷重対応で作業者の通路、作業用足場としての効用しかなく、組み立てられたスペースに機械を設置したり、構造物を設置したりすることは、安全上からも強度上不可能であった。【０００５】  その理由は、パイプ外面を２枚の薄いプレートでパイプ外周をボルトで締め付ける為、パイプ外面上に沿った力に対し、抵抗力が少ない。従って荷重がかかった状態での横揺れ等に於ける強度不足は否めない。従って使用用途によって、アングル鋼材同士の直交締結が必要になる。【０００６】  従来アングル鋼材同士の直交締結並に斜め締結法は、工場製作による所定位置での溶接かボルト止め、現場合わせでの溶接またはボルト止めによる方法しかなかった。従って取付位置が特定できない場所、高所現場、環境の悪い場所での寸法出しや据え付け工事に、多くの時間を費やす不便さあった。【０００７】  又上記した現場での作業に関し、溶接による場合消火器や火花に対する養生や現場環境によっては、監視人を置いたり、書面での火器使用申請等の申請が必要となり、作業前準備にも多くの時間を費やすことになる。【０００８】又ボルト止めによる締結においても、作業環境が悪いため現場合わせによる穴あけ作業が必要となり、けがき工具や電動ドリルやコードの準備が必要となり、作業性と安全性に問題が生じる欠点がある。
【課題を解決するための手段】
【０００９】高所作業環境や現場測定が困難な場所において、アングル鋼材の組合せ締結位置を限定せず、取付位置がフレキシビリテーの距離で固定することが可能な金具が必要となる。【０００１０】又金具の部品調整により、アングル同士の締結を、直交締結及び斜め締結も可能としたアングル締結が可能となるもの。且つそのアングル同士の組合せ締結力が所定の保持力を有した締結金具が必要になる。【０００１１】又この金具の締結については、所定の締め付け工具のみで行える
【発明の効果】
【０００１２】本発明によれば以下に示すような効果を発揮する。
（１）  自由位置でのアングル鋼材の直交締結が簡便にでき、従って設計段階における現場計測時間、設計工数、据付作業時間の大幅な削減が期待できる。
（２）  又この金具の部品調整により、簡単に斜め締結も可能となる
（３）  この金具により、現場での溶接作業やボルト止め作業を省略でき、安全性と作業性の向上が得られる。
【図面の簡単な説明】
【０００１３】
【図１】本発明に係る組立平面図
【図２】本発明な係る組立正面図
【図３】締結金具解放状態図
【図４】Ｂ−Ｂ視図（締結金具同士の締付状態）
【図５】本発明に係る組立正面図
【図６】Ａ−Ａ視図（締結金具同士の締付状態）
【図８】アングル鋼材内面抑え金具正面図
【図９】アングル鋼材内面抑え金具底面図
【図１０】締結金具角度調整金具平面図
【図１１】締結金具角度調整金具正面図
【図１２】締結金具角度調整金具底面図
【図１３】締結金具を４５度傾けた取付状態の平面図
【図１４】締結金具を４５度傾けた取付状態の正面図
【発明を実施するための形態】
【０００１４】次に、本発明の実施の一形態添付図面を参照しながら説明する。図１は、本発明に係る締結金具Ｐ１、Ｐ２の実施形態を示した平面図、図２はその正面図である。図３はＰ１の締結金具を開いた状態平面図。これら各構成について詳述する。
【０００１５】先ず締結金具Ｐ１のアングル鋼材４に金具１を装着する。その際金具１と支点ピン２を介してテーパーブロック５を装着した金具３を開放した状態図［図３］のようにアングル鋼材４に取り付ける。
【０００１７】金具１がアングル鋼材４の外面にセットし、テーパーブロック５を装着した金具３をアングル鋼材４の内面部をテーパーブロック５が抑えるように旋回設置する。その際［図８］のテーパーブロック５のＢ面が最初にアングル鋼材４の直角部内面の１部に接触する。
【０００１８】但しこの状態ではテーパーブロック５のＡ面はアングル鋼材の直角部の他の面には接していない。この時金具３に加工されたＵ字溝に、金具１に支点ピン２と同様装着された支点ピン８に装着されたリングボルト６を旋回組入れ、ナット７で締め付ける。
【０００１８】この締付時、［図８］のテーパーブロック５のＡ面がアングル鋼材４の面にくさび効果として、強力に押さえつける。この効果を得るためにテーパーブロック５のＡ面とＢ面の角度を９０度＋α度にし、その＋α度によりアングル鋼材４の内面部を支点ピン８に装着されたリングボルト６を締め付けることによって加圧力を増すことが可能となる。
【０００１９】さらに［図８］において、支点孔に対しＬ１＞Ｌ２によりのテーパーブロック５のＡ面の抑力が増加する。従って支点ピン８に装着されたリングボルト６を締め付けることによってテーパー部によるくさび効果と、作用点トルク効果による加圧法により、アングル鋼材４を強力に把持することが可能となる。
【０００２０】従って締結金具Ｐ２をアングル鋼材４にも同様な方法で所定の位置で取り付けると、アングル鋼材同士を直交方向に締結することが可能となる。従来は、溶接あるいはボルト類による締結法しかなかったが、この考案により取付時の安全性及び作業性が向上する。
【０００２１】又締結金具Ｐ１及びＰ２の組合せ方法について、上記の方法は直交締結に関したもの。［図５］は、Ｐ１及びＰ２の組立正面図でＰ１及びＰ２を回転防止金具１１と締付ナット１０で締め付けた状態図を示している。
【０００２２】その回転防止金具［図１１］は正面図で、主ボルト１２とプレート１１並びにピン１３で構成されたもの。［図１０］は、その回転防止金具［図１１］の平面図、［図１２］は、Ｃ視図でピン１３によって回転防止の効果が得られる。
【０００２３】上記による回転防止金具の機能を応用し、締結金具Ｐ１とＰ２の位置を４５度傾けることが可能となる。その方法を説明すると、［図５］の回転防止金具１１を止めたナット１０を開放し、金具１から回転防止金具１１に取り付けられたピン１３を抜き、所定の角度に対する［図６］の孔１４に再度挿入する。
【０００２４】これによって金具締結Ｐ１と締結金具Ｐ２が、所定の角度をもって取付状態図が図１３及び図１４に示す。この角度をもってアングル鋼材が取付可能となると、従来の構造物ブレス効果によって耐震及び振れ止め効果が得られ、いずれも溶接、ボルトと止め作業が省ける。従って安全性と作業性が大幅に向上する。
【０００２５】又取付状態によっては、アングル４の刃の位置を変えて直交ないし斜め取付の必要な場合も、上記締結金具Ｐ１と締結金具Ｐ２を回転防止金具１１の設定によって取付可能となる。
【符号の説明】
【０００２５】Ｐ１…締結金具ａ
Ｐ２…締結金具ｂ
１…固定金具
２…旋回ピン
３…旋回金具
４…アングル鋼材
５…テーパーブロック
６…リングボルト
７…止めナット
８…旋回ボルト用ピン
９…テーパーブロック支点ピン
１０…回転防止ロックナット
１１…回転防止金具
１１ａ…金具
１１ｂ…金具
１１ｃ…金具
【図１】
2017020642.tif 000003
【図２】
2017020642.tif 000004
【図３】
2017020642.tif 000005
【図４】
2017020642.tif 000006
【図５】
2017020642.tif 000007
【図６】
2017020642.tif 000008
【図７】
2017020642.tif 000009
【図８】
2017020642.tif 000010
【図９】
2017020642.tif 000011
【図１０】
2017020642.tif 000012
【図１１】
2017020642.tif 000013
【図１２】
2017020642.tif 000014
【図１３】
2017020642.tif 000015
【図１４】
2017020642.tif 000016
【手続補正書】
【提出日】平成27年9月25日(2015.9.25)
【手続補正２】
【補正対象書類名】明細書
【補正対象項目名】０００１３
【補正方法】変更
【補正の内容】
【０００１３】
【図１】本発明に係る組立平面図
【図２】本発明な係る組立正面図
【図３】締結金具解放状態図
【図４】Ｂ−Ｂ視図（締結金具同士の締付状態）
【図５】本発明に係る組立正面図
【図６】Ａ−Ａ視図（締結金具同士の締付状態）
【図７】アングル鋼材内面抑え金具平面図
【図８】アングル鋼材内面抑え金具正面図
【図９】アングル鋼材内面抑え金具底面図
【図１０】締結金具角度調整金具平面図
【図１１】締結金具角度調整金具正面図
【図１２】締結金具角度調整金具底面図
【図１３】締結金具を４５度傾けた取付状態の平面図
【図１４】締結金具を４５度傾けた取付状態の正面図